(57)【要約】      （修正有）【課題】測定位置を明確にし、測定者による誤差をなくし、かつ取り扱いが容易である土木構造物の出来形測定定規を提供する。【解決手段】土木構造物の出来形測定定規は、水平の所定長さの基準辺１と、該基準辺１の一端から垂直に立ち上がった基準辺１より短い長辺２と、基準辺１の他端から垂直に立ち上がった長辺２より短い短辺３と、長辺２と短辺３との頂点を結んだ斜辺４とから成り、全体が倒伏台形形状をなした所定厚さの透明板本体５からなる。透明板本体５の表面側には、短辺３から所定幅で倒伏台形透明部６を形成し、該倒伏台形透明部６の中央に基準辺１から斜辺４に向かって垂直に計測線７を形成する。また倒伏台形透明部６の残りの透明板本体には、基準辺１、長辺２、斜辺４のそれぞれの辺端部から内側へ所定幅の着色部分８を形成し、該着色部分８の更に内方側に測定個所を記載できる。【選択図】図１
0003171591.tif 000002
【実用新案登録請求の範囲】
【請求項１】
水平の所定長さの基準辺と、該基準辺の一端から垂直に立ち上がった前記基準辺より短い長辺と、前記基準辺の他端から垂直に立ち上がった前記長辺より短い短辺と、前記長辺と前記短辺との頂点を結んだ斜辺とから成り、全体が倒伏台形形状をなした所定厚さの透明板本体からなり、前記透明板本体の表面側には、前記短辺から所定幅で倒伏台形透明部を形成し、該倒伏台形透明部の中央に前記基準辺から前記斜辺に向かって垂直に計測線を形成し、また前記倒伏台形透明部の残りの透明板本体には、基準辺、長辺、斜辺のそれぞれの辺端部から内側へ所定幅の着色部分を形成し、該着色部分の更に内方側に測定個所を記載できることを特徴とする土木構造物の出来形測定定規。
【請求項２】
水平の所定長さの基準辺と、該基準辺の一端から垂直に立ち上がった前記基準辺より短い長辺と、前記基準辺と平行な同一長さの背辺と、前記長辺２と平行な同一長さの側辺とから成り、全体が長方形形状をなした所定厚さの透明板本体からなり、前記透明板本体の表面側には、前記基準辺から所定幅で長方形透明部を形成し、該長方形透明部の中央に前記基準辺から前記背辺に向かって垂直に所定幅の計測線を形成し、また前記長方形透明部の残りの透明板本体には、基準辺から前記背辺に向かって所定幅離れた辺、長辺、背辺、側辺のそれぞれの辺から内側へ所定幅の着色部分を形成し、該着色部分の更に内方側に測定個所を記載できるように耐水黒板を形成することを特徴とする土木構造物の出来形測定定規。
【請求項３】
前記出来形測定定規は、前記着色部分に色違いの３種類を用意し、これらを使用してゼロ・中間・読み点を表示し、撮影することができることを特徴とする請求項１又は２記載の土木構造物の出来形測定定規。
【考案の詳細な説明】
【技術分野】
【０００１】
本考案は、測定位置を明確にし、測定者による誤差をなくし、かつ取り扱いが容易である土木構造物の出来形測定定規に関するものである。
【背景技術】
【０００２】
出来形測定管理として、発注者側の共通仕様書に示されている「規格値」を満足できるように施工・管理を行うことになっている。従来、土木構築物の管理・測定には、テープとピンポールを用いて行っている。
この方法による管理・測定は、一般的な方法であるが、測定個所をピンポールで示すことの曖昧さによる測定寸法の不適確さなどに対して、改善が求められていた。
そのため、出来形測定管理を確かなものとするため、ピンポールに代わる測定器具も開発されている。
【０００３】
スケールの目盛りを拡大して測定物の大きさの確認を容易にして、コンパクトカメラで撮影した出来形測定写真でのスケールの表示数値確認を容易にするスケール用拡大器が知られている(特許文献１を参照)。
この公知技術は、拡大レンズと、スケールを水平方向に移動自在に貫通保持すると共に保持されたスケールの上に拡大レンズを保持する保持部とを備え、スケールの目盛りと同方向に拡大レンズに描かれた基準線と、保持部の基準線の横に相当する部分から拡大レンズの基準線と同方向に突出する棒部材とを備えるスケール拡大器である。
拡大レンズをスライドして基準線を棒部材に合わせ、スケールの端部(ゼロ点)を測定対象の一端に配置し、スケール用拡大器を測定対象の他端に棒部材が当接するようにスライドすると、基準線が測定対象の大きさを示すことになる。
【０００４】
また、地下室やトンネル内のように周囲が暗い場合において、測量用器具を型枠等の躯体に当てがい、前記躯体の出来形を写真に取る際に使用されるスタッフ撮影用治具が知られている(特許文献２を参照)。
この公知技術は、弾性体を介して測定用器具の躯体を挟持するようになされ、かつ前記測定用器具の躯体に摺動自在になされた治具本体と、該治具本体に設けられ測定用器具の目盛りに平行して当てがわれる棒状のピンポールとからなり、該ピンポール本体に蛍光塗料が塗布されているスタッフ撮影用治具である。
型枠等の躯体に当てがった測定用器具のスタッフに対して、目盛りが付けられたスタッフ表面の反対側の裏面から治具本体を装着し、ピンポールを治具本体の横から差し込んで装着し、そして治具を所定位置にスライドさせて、この後フラッシュを使用してカメラで撮影するものである。
【先行技術文献】
【特許文献】
【０００５】
【特許文献１】特開２００１−１４１４０１号公報
【特許文献２】実開平５−７１７１２号公報
【考案の概要】
【考案が解決しようとする課題】
【０００６】
本考案は、測定位置と、読み点を明確にし、測定者による誤差をなくし、かつ取り扱いが容易である土木構造物の出来形測定定規を提供することを目的とする。
【課題を解決するための手段】
【０００７】
本考案の土木構造物の出来形測定定規は、水平の所定長さの基準辺と、該基準辺の一端から垂直に立ち上がった前記基準辺より短い長辺と、前記基準辺の他端から垂直に立ち上がった前記長辺より短い短辺と、前記長辺と前記短辺との頂点を結んだ斜辺とから成り、全体が倒伏台形形状をなした所定厚さの透明板本体からなり、前記透明板本体の表面側には、前記短辺から所定幅で倒伏台形透明部を形成し、該倒伏台形透明部の中央に前記基準辺から前記斜辺に向かって垂直に計測線を形成し、また前記倒伏台形透明部の残りの透明板本体には、基準辺、長辺、斜辺のそれぞれの辺端部から内側へ所定幅の着色部分を形成し、該着色部分の更に内方側に測定個所を記載できるものである。
前記出来形測定定規は、前記着色部分に色違いの３種類を用意し、これらを使用してゼロ・中間・読み点を表示し、撮影することができるものである。
【０００８】
本考案の土木構造物の出来形測定定規は、水平の所定長さの基準辺と、該基準辺の一端から垂直に立ち上がった前記基準辺より短い長辺と、前記基準辺と平行な同一長さの背辺と、前記長辺２と平行な同一長さの側辺とから成り、全体が長方形形状をなした所定厚さの透明板本体からなり、前記透明板本体の表面側には、前記基準辺から所定幅で長方形透明部を形成し、該長方形透明部の中央に前記基準辺から前記背辺に向かって垂直に所定幅の計測線を形成し、また前記長方形透明部の残りの透明板本体には、基準辺から前記背辺に向かって所定幅離れた辺、長辺、背辺、側辺のそれぞれの辺から内側へ所定幅の着色部分を形成し、該着色部分の更に内方側に測定個所を記載できるように耐水黒板を形成する
前記出来形測定定規は、前記着色部分に色違いの３種類を用意し、これらを使用してゼロ・中間・読み点を表示し、撮影することができるものである。
【考案の効果】
【０００９】
本考案の土木構造物の出来形測定定規は、水平の所定長さの基準辺と、該基準辺の一端から垂直に立ち上がった前記基準辺より短い長辺と、前記基準辺の他端から垂直に立ち上がった前記長辺より短い短辺と、前記長辺と前記短辺との頂点を結んだ斜辺とから成り、全体が倒伏台形形状をなした所定厚さの透明板本体からなり、前記透明板本体の表面側には、前記短辺から所定幅で倒伏台形透明部を形成し、該倒伏台形透明部の中央に前記基準辺から前記斜辺に向かって垂直に計測線を形成し、また前記倒伏台形透明部の残りの透明板本体には、基準辺、長辺、斜辺のそれぞれの辺端部から内側へ所定幅の着色部分を形成し、該着色部分の更に内方側に倒伏台形相似形の部分に、測点等を書き込むことで測定個所が明確になり測定者による誤差が少なく精度の高い測定ができる。
本考案の土木構造物の出来形測定定規は、前記着色部分に色違いの３種類を用意し、これらを使用してゼロ・中間・読み点を表示し、撮影することができるため、色違いの３種類の定規に、測点を記録できることで、人為的な単純ミスを防ぐことが可能となる。
【００１０】
本考案の土木構造物の出来形測定定規は、水平の所定長さの基準辺と、該基準辺の一端から垂直に立ち上がった前記基準辺より短い長辺と、前記基準辺と平行な同一長さの背辺と、前記長辺２と平行な同一長さの側辺とから成り、全体が長方形形状をなした所定厚さの透明板本体からなり、前記透明板本体の表面側には、前記基準辺から所定幅で長方形透明部を形成し、該長方形透明部の中央に前記基準辺から前記背辺に向かって垂直に所定幅の計測線を形成し、また前記長方形透明部の残りの透明板本体には、基準辺から前記背辺に向かって所定幅離れた辺、長辺、背辺、側辺のそれぞれの辺から内側へ所定幅の着色部分を形成し、該着色部分の更に内方側に測定個所を記載できるように耐水黒板を形成し、該耐水黒板部分に、測点等を書き込むことで測定個所が明確になり測定者による誤差が少なく精度の高い測定ができる。
本考案の土木構造物の出来形測定定規は、前記着色部分に色違いの３種類を用意し、これらを使用してゼロ・中間・読み点を表示し、撮影することができるため、色違いの３種類の定規に、測点を記録できることで、人為的な単純ミスを防ぐことが可能となる。
【図面の簡単な説明】
【００１１】
【図１】本考案の土木構造物の出来形測定定規の正面図である。
【図２】本考案の土木構造物の出来形測定定規の他の実施例の正面図である。
【考案を実施するための形態】
【００１２】
本考案の土木構造物の出来形測定定規の一実施例を添付図面に基づいて、以下に説明する。
図１の正面図に示すように、本考案の土木構造物の出来形測定定規は、水平の所定長さの基準辺１と、該基準辺１の一端から垂直に立ち上がった前記基準辺１より短い長辺２と、前記基準辺１の他端から垂直に立ち上がった前記長辺２より短い短辺３と、前記長辺２と前記短辺３との頂点を結んだ斜辺４とから成り、全体が倒伏台形形状をなした所定厚さの透明板本体５からなる。
前記透明板本体５の表面側には、前記短辺３から所定幅で倒伏台形透明部６を形成し、該倒伏台形透明部６の中央に前記基準辺１から前記斜辺４に向かって垂直に計測線７を形成する。
また前記倒伏台形透明部６以降の残りの透明板本体には、基準辺１、長辺２、斜辺４のそれぞれの辺端部から内側へ所定幅の着色部分８を形成し、該着色部分８の更に内方側に測定個所を記載できるようにする。
このようにして形成された出来形測定定規は、前記着色部分８に色違いの３種類を用意し、これらを使用してゼロ点(例えば、黄色の出来形測定定規)、中間点(例えば、赤色の出来形測定定規)と読み点(例えば、緑色の出来形測定定規)を表示し、撮影することができる。
【００１３】
次に、本考案の土木構造物の出来形測定定規の操作動作を添付図面に基づいて、以下に説明する。
土木構造物にテープ(図示せず)を当てがった後、透明板本体５を前記テープ(図示せず)に沿って基準辺１を重ねあわせ、測点に倒伏台形透明部６の計測線７が一致するように重ね合わせする。
また、前記出来形測定定規とは色違いの出来形測定定規を使用してテープ(図示せず)のゼロ点となる個所に計測線７が一致するようにする。
そして、前記出来形測定定規の着色部分８の更に内方側にクレヨンチョークで必要な事項を記録し、ゼロ点(例えば、黄色の出来形測定定規)、中間点(例えば、赤色の出来形測定定規)と読み点(例えば、緑色の出来形測定定規)を表示し、写真撮影することができる。
これにより、出来形測定定規に測定個所の測点を記録することで、写真と測定結果との突合せを短時間にすることができる。
【００１４】
本考案の土木構造物の出来形測定定規の他の実施例を添付図面に基づいて、以下に説明する。
図２の正面図に示すように、本考案の土木構造物の出来形測定定規は、水平の所定長さの基準辺１と、該基準辺１の一端から垂直に立ち上がった前記基準辺１より短い長辺２と、前記基準辺１と平行な同一長さの背辺９と、前記長辺２と平行な同一長さの側辺１０とから成り、全体が長方形形状をなした所定厚さの透明板本体５からなる。
前記透明板本体５の表面側には、前記基準辺１から所定幅で長方形透明部１１を形成し、該長方形透明部１１の中央に前記基準辺１から前記背辺９に向かって垂直に所定幅の計測線７を形成する。
また前記長方形透明部１１以降の残りの透明板本体５には、基準辺１から前記背辺９に向かって所定幅離れた辺１２、長辺２、背辺９、側辺１０のそれぞれの辺から内側へ所定幅の着色部分８を形成し、該着色部分８の更に内方側に測定個所を記載できるように耐水黒板１３を形成する。
このようにして形成された出来形測定定規は、前記着色部分８に色違いの３種類を用意し、これらを使用してゼロ点(例えば、黄色の出来形測定定規)、中間点(例えば、赤色の出来形測定定規)と読み点(例えば、緑色の出来形測定定規)を表示し、撮影することができる。
【００１５】
次に、本考案の土木構造物の出来形測定定規の操作動作を添付図面に基づいて、以下に説明する。
土木構造物にテープ(図示せず)を当てがった後、透明板本体５の長方形透明部１１を前記テープ(図示せず)に沿って基準辺１を重ねあわせ、測点に長方形透明部１１の計測線７が一致するように重ね合わせする。
また、前記出来形測定定規とは色違いの出来形測定定規を使用してテープ(図示せず)のゼロ点となる個所に計測線７が一致するようにする。
そして、前記出来形測定定規の耐水黒板１３にクレヨンチョークで必要な事項を記録し、ゼロ点(例えば、黄色の出来形測定定規)、中間点(例えば、赤色の出来形測定定規)と読み点(例えば、緑色の出来形測定定規)を表示し、写真撮影することができる。
これにより、出来形測定定規に測定個所の測点を記録することで、写真と測定結果との突合せを短時間にすることができる。
【符号の説明】
【００１６】
１  基準辺
２  長辺
３  短辺
４  斜辺
５  透明板本体
６  倒伏台形透明部
７  計測線
８  着色部分
９  背辺
１０  側辺
１１  長方形透明部
１２  辺
１３  耐水黒板
【図１】
0003171591.tif 000003
【図２】
0003171591.tif 000004
【手続補正書】
【提出日】平成23年8月25日(2011.8.25)
【手続補正１】
【補正対象書類名】実用新案登録請求の範囲
【補正対象項目名】全文
【補正方法】変更
【補正の内容】
【実用新案登録請求の範囲】
【請求項１】
水平の所定長さの基準辺と、該基準辺の一端から垂直に立ち上がった前記基準辺より短い長辺と、前記基準辺の他端から垂直に立ち上がった前記長辺より短い短辺と、前記長辺と前記短辺との頂点を結んだ斜辺とから成り、全体が倒伏台形形状をなした所定厚さの透明板本体からなり、前記透明板本体の表面側には、前記短辺から所定幅で倒伏台形透明部を形成し、該倒伏台形透明部の中央に前記基準辺から前記斜辺に向かって垂直に計測線を形成し、また前記倒伏台形透明部の残りの透明板本体には、基準辺、長辺、斜辺のそれぞれの辺端部から内側へ所定幅の着色部分を形成し、該着色部分の更に内方側に測定個所を記載できることを特徴とする土木構造物の出来形測定定規。
【請求項２】
前記出来形測定定規は、前記着色部分に色違いの３種類を用意し、これらを使用してゼロ・中間・読み点を表示し、撮影することができることを特徴とする請求項１記載の土木構造物の出来形測定定規。